(57)【要約】【課題】本発明は予め複数の表示装置によって１つの画面を形成させることを考慮して、表示装置の額縁部分の幅を決定することで、複数の表示装置により形成されるマルチディスプレイの表示画面に於いても元画像のアスペクト比を保持し、画面を最大限有効に使用する表示装置を提供するものである。【解決手段】複数の表示装置を上下左右に隙間なく配設したマルチディスプレイ表示装置であって、前記表示装置は、アスペクト比がＰ対Ｑの表示エリアと、額縁の垂直方向の幅がＱＴの上下の額縁部と、額縁の水平方向の幅がＰＴの左右の額縁部とを有することを特徴とする。【選択図】  図２
2013080008.tif 000002
【特許請求の範囲】
【請求項１】
複数の表示装置を上下左右に隙間なく配設したマルチディスプレイの表示装置であって、
前記表示装置は、アスペクト比がＰ対Ｑの表示エリアと、額縁の垂直方向の幅がＱＴの上下の額縁部と、額縁の水平方向の幅がＰＴの左右の額縁部とを有する
ことを特徴とする表示装置。（但し、Ｔは、額縁幅を定義するための単位規準長）
【請求項２】
前記上下の額縁部、又は左右の額縁部にはスピーカが配設されていることを特徴とする請求項１に記載の表示装置。
【請求項３】
前記アスペクト比は１６対９であることを特徴とする請求項１、又は２に記載の表示装置。
【請求項４】
前記表示エリアに表示する画像データを記憶する記憶部を有し、該記憶部には対応する装置が担当する画像データが記憶されていることを特徴とする請求項１、２、又は３に記載の表示装置。
【請求項５】
前記表示エリアのアスペクト比に対応して、該表示エリアに形成される画素サイズを設定することを特徴とする請求項１、２、３、又は４に記載の表示装置。
【請求項６】
前記水平側額縁幅と垂直側額縁幅は、前記表示エリアの画素サイズに対応して設定されることを特徴とする請求項１、２、３、４、又は５に記載の表示装置。
【発明の詳細な説明】
【技術分野】
【０００１】
本発明はマルチディスプレイ機能を備えた表示装置に関する。
【背景技術】
【０００２】
従来から、表示装置として、例えばブラウン管表示装置や、プラズマディスプレイ、液晶ディスプレイ、有機ＥＬ（有機エレクトロルミネッセンス）ディスプレイ、表面伝導型電子放出素子ディスプレイ（SED：surface-conduction electron-emitter display）等の様々な方式の表示装置が提供されている。その中でも、近年特に薄型の表示装置としてプラズマディスプレイや液晶ディスプレイの低価格化、省電力化に伴い家庭への普及が進み、一般家庭での保有台数も増加している。
【０００３】
このような薄型表示装置は、従来のブラウン管方式の表示装置と比べ、大きな設置スペースを必要としないため、例えば壁掛け設置等の従来設置不可能な場所への設置も可能であり、従来のテレビやビデオ視聴の用途以外に、デジタルフォトフレームや、デジタル絵画、デジタル伝言板、デジタルカレンダ等の新たな用途も生まれている。
【０００４】
このような背景の中、複数の表示装置を用いて、それぞれの表示を関連付けして一つの画面として機能するマルチディスプレイが従来から提供されている。例えば、図１５（ａ）に示す画像４０を４分割し、同図（ｂ）に示す４台の表示装置４１〜４４に拡大表示することが行われている。
【０００５】
尚、特許文献１は複数の液晶パネル表示装置を使用した液晶マルチディスプレイの発明であり、液晶マルチディスプレイを構成する液晶表示装置の横個数データと縦個数データと、該液晶表示装置の配置位置を表す位置座標データを設定することで、入力表示データを拡大表示する液晶表示装置を開示する。
【先行技術文献】
【特許文献】
【０００６】
【特許文献１】特開２０００-３３０５３６号公報
【発明の概要】
【発明が解決しようとする課題】
【０００７】
しかしながら、従来のマルチディスプレイでは、上記図１５（ｂ）に示すように元画像４０に対して不自然な拡大画像となる。その理由は、各表示装置４１〜４４の額縁部（フレーム）にはスピーカ４１ａ〜４４ａや、不図示の操作スイッチ等が設置されており、元画像４０を単に４分割し、４台の表示装置４１〜４４に表示する場合、スピーカ４１ａ〜４４ａ等が配置された額縁部が拡大画像の中心部に位置し、元画像４０が上下に広がった画像となるためである。
【０００８】
一方、拡大画像を図１５(ａ)に示す表示装置のアスペクト比Ｐ：Ｑ（例えば１６：９）に対応する補正を行うため、複雑なスケーリング処理を行い、更に額縁分の表示データを補正した場合、同図（ｃ）に示すように、上下に非表示エリア４１ｂ〜４４ｂが生成され、表示画面を有効に利用できない。また、デザイン的にも不自然なものとなる。
【０００９】
本発明では、このような状況を鑑みて、予め複数の表示装置によって１つの画面を形成させることを考慮して、表示装置の額縁部分の幅を決定することで、複数の表示装置により形成されるマルチディスプレイの表示画面に於いても元画像のアスペクト比を保持し、画面を最大限有効に使用する表示装置を提供するものである。
【００１０】
上記課題は本発明によれば、複数の表示装置を上下左右に隙間なく配設したマルチディスプレイ表示装置であって、前記表示装置は、アスペクト比がＰ対Ｑの表示エリアと、額縁の垂直方向の幅がＱＴの上下の額縁部と、額縁の水平方向の幅がＰＴの左右の額縁部とを有することを特徴とする。
【発明の効果】
【００１１】
本発明によれば、（横縦）アスペクト比がＰ対Ｑの表示エリアと、この表示エリアに対応させた水平側額縁幅を有する上下の額縁部と垂直側額縁幅を有する左右の額縁部とを有する表示装置を複数上下左右に配設し、マルチディスプレイ表示を行なうことによって、表示画面を有効利用すると共に、元画像に忠実で違和感のない拡大画像を生成することができる。
【図面の簡単な説明】
【００１２】
【図１】本実施形態の表示装置のシステム構成図である。
【図２】本実施形態の表示装置の正面図である。
【図３】表示装置を４台使用し、４分割のマルチディスプレイの表示構成を説明する図である。
【図４】本実施形態の表示装置の処理動作を示すフローチャートである。
【図５】本実施形態の表示装置の処理動作を示すフローチャートである。
【図６】本実施形態の表示装置の処理動作を示すフローチャートである。
【図７】表示部に表示される表示方式選択画面の例を示す図である。
【図８】表示部に表示されるマルチディスプレイ構成の選択画面の例を示す図である。
【図９】（ａ）は表示装置のエリア選択画面を示し、４分割画面の左上のエリアを選択する例を示す図であり、（ｂ）も表示装置のエリア選択画面を示し、４分割画面の右上のエリアを選択する例を示す図であり、（ｃ）も表示装置のエリア選択画面を示し、４分割画面の左下のエリアを選択する例を示す図であり、（ｄ）も表示装置のエリア選択画面を示し、４分割画面の右下のエリアを選択する例を示す図である。
【図１０】表示部に表示される入力選択画面の例を示す図である。
【図１１】表示部に表示されるチャンネル選局画面の例を示す図である。
【図１２】表示部に表示される外部インターフェース選択画面の例を示す図である。
【図１３】表示部に表示される再生ファイル選択画面の例を示す図である。
【図１４】ｎ×ｎ台の表示装置を使用したマルチディスプレイ構成の例を示す図である。
【図１５】（ａ）は従来の表示装置の構成を示す図であり、（ｂ）は従来の表示装置を４台使用し、従来の４分割のマルチディスプレイの構成を示す図である。（ｃ）は従来の表示装置を４台使用し、他の従来の４分割のマルチディスプレイの構成を示す図である。
【発明を実施するための形態】
【００１３】
以下、本発明の実施の形態を図面に基づいて説明する。
図１は、本実施形態の表示装置の回路ブロック図である。同図において、表示装置１はＣＰＵ（制御部）２、ＤＴＶ（デジタルテレビ）信号受信部３、メモリカードインターフェース４、ＨＤＭＩ（high-definition multimedia interface）インターフェース５、ＵＳＢ（universal serial bus）デバイスインターフェース６、ＬＡＮ（local area network）インターフェース７、時計回路（ＲＴＣ（real time clock））８、電源スイッチ９、画像メモリ１０、表示駆動回路１１、音声駆動回路１２、フラッシュメモリ１３、ＲＡＭ１４、キー入力部１５、ＲＦ(radio frequency)通信部１６、ＩＲ(Infrared)送受信部１７で構成され、ＤＴＶ信号受信部３にはアンテナ２０が接続され、表示駆動回路１１には表示部２１が接続され、音声駆動回路１２にはデジタルアナログコンバータ（以下、ＤＡＣで示す）２２、オーディオアンプ２３、及びスピーカ２４が接続されている。
【００１４】
ＤＴＶ信号受信部３は上記アンテナ２０によって受信したＤＴＶ信号の入力インターフェースであり、メモリカードインターフェース４は、例えばＳＤカード等のカードが挿入され、デジタルカメラ等で撮影し、圧縮処理された画像ファイルや動画ファイルが入力するインターフェースである。また、ＨＤＭＩインターフェース５は、例えばブルーレイや、ハードディスク（ＨＤＤ）、ＤＶＤレコーダからの静止画像や、動画像データの入力インターフェースである。
【００１５】
ＵＳＢデバイスインターフェース６はＵＳＢケーブルを介して、例えばパーソナルコンピュータ（ＰＣ）と通信を行い、画像データ等の入出力制御を行う。また、ＬＡＮインターフェース７も、例えばパーソナルコンピュータ（ＰＣ）との通信を行い、画像データ等の入出力制御を行う。
【００１６】
時計回路８は現在時刻の計時や、カレンダー機能を使用するための回路であり、電源スイッチ９は本例の印刷装置１の電源スイッチである。また、フラッシュメモリ１３には本例のシステム制御プログラムが記憶され、上記電源スイッチ９を投入すると、フラッシュメモリ１３から上記システム制御プログラムがＣＰＵ２に読み出され、ＣＰＵ２による処理が開始される。尚、フラッシュメモリ１３には上記システム制御プログラム以外に、後述する各種モードの設定画面のデータや、表示用文字フォント等のＵＩ表示用データも記憶されている。また、ＲＡＭ１４はＣＰＵ２による処理動作を行う際のワークメモリとして使用される。
【００１７】
キー入力部１５にはユーザによるキー操作信号が入力し、ＣＰＵ２は上記システム制御プログラムと、このキー操作信号に基づいて処理を行う。
ＲＦ通信部１６はアンテナ２５を介して入力するデータとの通信制御を行い、例えば後述するチャンネル設定等の各種設定を行う際の制御を行う。同様に、ＩＲ送受信部１７はＬＥＤ２６を介して入力するデータとの通信制御を行い、例えば後述するチャンネル設定等の各種設定を行う際の制御を行う。
【００１８】
一方、表示駆動回路１１は表示部２１を駆動する駆動回路であり、ＣＰＵ２の制御に従って画像メモリ１０に記憶された画像データの表示を行う。表示部２１は、例えばＬＣＤパネルやプラズマパネルで構成され、圧縮処理された画像ファイルをＣＰＵ２によって伸張された画像データを表示する。
【００１９】
また、音声駆動回路１２はスピーカ２４を駆動する駆動回路であり、ＣＰＵ２によって伸張された音声データが入力する。この音声データはＤＡＣ２２によってアナログ信号に変換され、オーディオアンプ２３によって増幅され、スピーカ２４に出力される。
【００２０】
図２は上記表示部２１の構成を示す図である。同図に示すように、表示部２１は表示エリア３０と額縁部（フレーム）３１で構成され、額縁部３１は上下の額縁部３１ａと３１ｂ、左右の額縁部３１ｃ、３１ｄで構成されている。画像２８は表示エリア３０に表示され、表示エリア３０のアスペクト比は、例えば本例において１６：９に設定されている。したがって、本例の場合、表示エリア３０の横幅は１６Ｓであり、縦幅は９Ｓで構成されている。尚、Ｓは、表示エリアの大きさを定義するための単位規準長である。
【００２１】
また、左右の額縁部３１ｃ、３１ｄには前述のスピーカ２４が配設され、前述のオーディオアンプ２３によって増幅された音声や音楽が出力される。また、前述のアンテナ２０や２５、ＬＥＤ２６等も上下の額縁部３１ａ、３１ｂ、又は左右の額縁部３１ｃ、３１ｄに配設されている。
ここで、左右の額縁部３１ｃ、３１ｄの垂直側額縁（の水平方向）幅をｘとし、上下の額縁部３１ａ、３１ｂの水平側額縁（の垂直方向）幅をyとすると、本例では垂直側額縁幅ｘと水平側額縁幅yを上記表示エリア３０のアスペクト比１６：９に対応して構成する。例えば、垂直側額縁幅ｘを１６Ｔに設定し、水平側額縁幅ｙを９Ｔに設定する。尚、Ｔは、額縁幅を定義するための単位規準長である。
【００２２】
図３は上記構成の表示装置１を４台使用し、上記図２に示す犬の画像２８を４分割したマルチディスプレイ表示を行う場合の例を示す図である。同図に示すように、４台の表示装置１ａ〜１ｄは、表示装置１ａが同図の左上に設置され、表示装置１ｂが同図の右上に設置され、表示装置１ｃが同図の左下に設置され、表示装置１ｄが同図の右下に設置されている。したがって、表示装置１ａの表示エリア３０ａには上記画像２８の左上部分の画像が表示され、表示装置１ｂの表示エリア３０ｂには上記画像２８の右上部分の画像が表示され、表示装置１ｃの表示エリア３０ｃには上記画像２８の左下部分の画像が表示され、表示装置１ｄの表示エリア３０ｄには上記画像２８の右下部分の画像が表示される。尚、各表示装置１ａ〜１ｄの左右の額縁部には、それぞれ対応するスピーカ２４ａ〜２４ｄが配設されている。
【００２３】
図３に示す表示装置１ａ〜１ｄは全て同じ構成であり、表示エリア３０、及び上下左右の額縁部３１ａ、３１ｂ、３１ｃ、３１ｄのサイズも同じである。すなわち、それぞれの表示装置１ａ〜１ｄの表示エリア３０ａ〜３０ｄのアスペクト比は１６：９であり、上記のように横縦１６Ｓ×９Ｓの寸法で構成されている。また、左右の額縁部３１ｃ、３１ｄの垂直側額縁幅ｘは全て１６Ｔであり、上下の額縁部３１ａ、３１ｂの水平側額縁幅yは全て９Ｔである。
【００２４】
上記構成の表示装置１を縦横ｎ×ｎ台使用してマルチディスプレイを構成した場合、アスペクト比は以下の式で示される。
(ｎ×１６Ｓ)＋{２ｎ―２）×１６Ｔ}：（ｎ×９Ｓ）＋{２ｎ―２）×９Ｔ}・・（１）
ここで、上記（１）式は
１６×{ｎＳ＋２Ｔ（ｎ−１）}：９×{ｎＳ＋２Ｔ（ｎ−１）}
で表され、{ｎＳ＋２Ｔ（ｎ−１）}は同じ数式であるので、（１）式は、１６：９ となる。これは、本発明の表示装置を縦横ｎ×ｎ台組合せてマルチディスプレイ表示を構成した場合であっても、アスペクト比は元の１台の表示装置１のアスペクト比と同じであることを表している。
【００２５】
尚、上記４分割（２×２）のマルチディスプレイ表示の場合、
１６ｘ{２Ｓ＋２Ｔ（２−１）}：９ｘ{２Ｓ＋２Ｔ（２−１）}
となり、上記と同様アスペクト比は１６：９となる。
【００２６】
以上の構成において、以下に本例の処理動作を説明する。
図４乃至図６は本例の処理動作を説明するフローチャートである。先ず、前述の図１に示す電源スイッチ９が投入されると表示部２１に表示方式選択画面が表示される（ステップ（以下、Ｓで示す）１）。図７に示す図は表示部２１に表示される表示方式選択画面の例である。尚、この表示方式選択画面のデータは前述のフラッシュメモリ１３に記憶されており、この表示方式選択画面のデータが電源スイッチ９の投入に基づくＣＰＵ２の制御によってフラッシュメモリ１３から読み出され、表示駆動回路１１の駆動によって表示部２１に表示される。
【００２７】
次に、上記表示方式選択画面に表示される方向キー３３ａ、３３ｂを押下して通常表示又はマルチディスプレイ表示の選択を行う（Ｓ２）。尚、方向キー３３ａ、３３ｂの押下は前述のキー入力部１５から入力する操作信号に基づいて行われる。
【００２８】
ここで、通常表示の選択を行うと、以後一般的な通常表示処理が行われる（Ｓ３）。一方、マルチディスプレイ表示の選択を行うと、マルチディスプレイ構成の選択画面が表示される（Ｓ４）。図８に示す図は表示部２１に表示されるマルチディスプレイ構成の選択画面の例である。尚、このマルチディスプレイ構成の選択画面のデータも前述のフラッシュメモリ１３に記憶されており、この選択画面のデータがＣＰＵ２の制御によってフラッシュメモリ１３から読み出され、表示駆動回路１１の駆動によって表示部２１に表示される。
【００２９】
次に、上記選択画面に表示される方向キー３４ａ、３４ｂを押下して４分割、９分割等のマルチディスプレイの構成画面の選択を行う（Ｓ５）。尚、本例の説明においては、以後４分割のマルチディスプレイ構成の画面選択を行うものとする。
【００３０】
上記選択によって、表示部２１には図９に示す表示エリア選択画面が表示される（Ｓ６）。この表示エリア選択画面は上記選択に基づく４分割のマルチディスプレイ構成の各エリアの選択画面であり、各表示部２１に４画面の中の何れかの画面表示を選択するものである。尚、この画面データも前述のフラッシュメモリ１３に記憶されており、ＣＰＵ２の制御によってフラッシュメモリ１３から読み出され、表示部２１に表示される。
【００３１】
尚、上記のように４分割のマルチディスプレイ機能について説明しており、前述の図３に示す４台の表示装置１ａ〜１ｄに対応し、図９に示す（ａ）〜（ｄ）は対応する表示装置１ａ〜１ｄの表示エリアの選択画面を示す。例えば、図９（ａ）は表示装置１ａのエリア選択画面を示し、方向キー３５ａ、３５ｂを押下して表示装置１ａの表示エリアの選択を行う。この場合、表示装置１ａは４分割画面の左上のエリアを選択するものとする（Ｓ７）。
【００３２】
また、図９（ｂ）は表示装置１ｂのエリア選択画面を示し、方向キー３５ａ、３５ｂを押下して表示装置１ｂの表示エリアの選択し、４分割画面の右上のエリアを選択するものとする（Ｓ７）。また、図９（ｃ）は表示装置１ｃのエリア選択画面を示し、方向キー３５ａ、３５ｂを押下して表示装置１ｃの表示エリアの選択し、４分割画面の左下のエリアを選択するものとする（Ｓ７）。同様に、図９（ｄ）は表示装置１ｄのエリア選択画面を示し、方向キー３５ａ、３５ｂを押下して表示装置１ｄの表示エリアの選択し、４分割画面の右下のエリアを選択するものとする（Ｓ７）。
【００３３】
以上のようにしてマルチディスプレイ表示におけるエリア設定が完了すると、次に各表示装置１ａ〜１ｄ（表示部２１）に入力する入力選択画面を表示する（Ｓ８）。図１０はこの入力選択画面の例であり、地上デジタル又は外部インターフェースの選択を行う（Ｓ９）。ここで、地上デジタルとは前述のアンテナ２０を介してＤＴＶ信号受信部３によって受信したＤＴＶ信号に基づくテレビ画面を選択するものであり、外部インターフェースとは、例えばデジタルカメラ等で撮影した画像ファイルやハードディスク（ＨＤＤ）等からの静止画像や動画像データの画面を選択するものである。
【００３４】
上記選択は方向キー３６ａ、３６ｂを押下して行い、例えば地上デジタルを選択すると、チャンネル選局画面を表示する（Ｓ１０）。図１１はこのチャンネル選局画面の例であり、方向キー３７ａ、３７ｂを押下して、受信チャンネルの選択を行う（Ｓ１１、Ｓ１２）。上記処理は４台の表示装置１ａ〜１ｄについて同様に行う。
【００３５】
一方、上記判断（Ｓ９）において、外部インターフェースの選択が行われた場合、外部インターフェース選択画面が表示される（Ｓ１３）。図１２は外部インターフェース選択画面の表示例であり、カード、ＭＤＭI、ＵＳＢ、ＬＡＮの表示が行われ、方向キー３８ａ又は３８ｂを押下して希望するメディア選択を行う（Ｓ１４）。
【００３６】
尚、上記カードはデジタルカメラ等で撮影した画像ファイルを記憶するＳＤカードの選択であり、ＨＤＭＩはブルーレイやハードディスク（ＨＤＤ）からの静止画像や動画像データの選択であり、ＵＳＢは前述のＵＳＢデバイスインターフェース６を介して入力するデータの選択であり、ＬＡＮは前述のＬＡＮインターフェース７を介して入力するパーソナルコンピュータ（ＰＣ）等からの画像ファイルの選択である。尚、本例においては、以下において、デジタルカメラ等で撮影した画像ファイルを記憶するＳＤカードを選択する場合について説明する。
【００３７】
この場合、次に再生ファイル選択画面が表示される（Ｓ１５）。図１３は表示部２１に表示される再生ファイル選択画面の表示例である。同図に示すＡＢＣＤ、２０１１夏キャンプ、２０１０冬スキー、中世の絵画等はＳＤカードに記憶された画像ファイル名であり、方向キー３９ａ又は３９ｂを押下して、希望する再生ファイルを選択する（Ｓ１６）。本例の説明では、再生ファイルとしてファイル名ＡＢＣＤが再生ファイルとして選択されるものとする。
【００３８】
この場合、前述のＲＦ送受信回路１６によってＺｉｇｂｅｅ通信がマルチディスプレイを構成する４台の表示装置１ａ〜１ｄとの間で行われる（Ｓ１７）。ここでは、先ず各ディスプレイに再生ファイル（ファイル名：ＡＢＣＤ）の設定を行う（Ｓ１８）。そして、例えば先ず“False”信号によって（Ｓ１８がFalse）、再生ファイルの確認を行い（Ｓ１７）、その後“True”信号によって（Ｓ１８がTrue）、準備が完了し、再生キーの入力を待つ（Ｓ１９）。
【００３９】
その後、再生キーが押下されると（Ｓ１９がＹＥＳ）、再生信号が送信され（Ｓ２０）、マルチディスプレイ表示が開始される。すなわち、Ｚｉｇｂｅｅ通信によりマルチディスプレイを構成する４台の表示装置１ａ〜１ｄに再生信号が送信され、停止キーが入力するまで４分割のマルチディスプレイ表示が４台の表示装置１ａ〜１ｄに表示される（Ｓ２０、Ｓ２１が再生キー）。
このとき、４台の表示装置１ａ〜１ｄに表示される画像は、例えば前述の図３に示すように、アスペクト比がもとの１台の表示装置１のアスペクト比と同じ１６：９の画像表示である。したがって、元画像の拡大画像を忠実に拡大したマルチディスプレイ表示が行なわれ、元画像が変形する等の不自然な拡大画像の表示を行なうことがない。
また、表示装置１ａ〜１ｄの表示エリアに非表示部分を形成することがなく、画面を最大限有効に利用することができる。
【００４０】
上記表示処理の後、停止キーが押下されると（Ｓ２１が停止キー）、再生信号の送信が停止され、４台の表示装置１ａ〜１ｄへのマルチディスプレイ表示が停止する。
尚、上記実施形態の説明では、２×２のマルチディスプレイ表示について説明したが、本例の表示装置１を縦横ｎ×ｎ台使用し、図１４に示すマルチディスプレイ表示を行なう構成としてもよい。この場合も（１）〜（ｎ×ｎ）のそれぞれの表示装置は、上記図２で説明した外観構成を有し、全体として表示装置１のアスペクト比と同じ１６：９のマルチディスプレイ表示を行なうことができる。
【００４１】
また、表示装置１の表示エリア３０のアスペクト比に対応して、表示エリア３０に形成される画素サイズを設定し、マルチディスプレイ表示を行なう構成としてもよい。例えば、横幅１６Ｓの具体的なサイズを決定する際、画素サイズの整数倍に一致するように設定し、縦幅９Ｓの具体的なサイズを決定する際、同様に画素サイズの整数倍に一致するように設定することによって、マルチディスプレイ表示をより容易に行なうことができる。
また、表示装置１の上下の額縁部３１ａ、３１ｂの幅、及び左右の額縁部３１ｃ、３１ｄの幅を画素サイズの整数倍に一致するように設定することによって、マルチディスプレイ表示をより容易に行なうことができる。すなわち、額縁部３１ａ、３１ｂの水平側額縁幅y、及び額縁部３１ｃ、３１ｄの垂直側額縁幅ｘを画素サイズの整数倍に一致するように設定することによって、マルチディスプレイ表示をより容易に行なうことができる。
【００４２】
本発明はいくつかの実施形態を説明したが、本発明は特許請求の範囲に記載された発明とその均等の範囲に含まれる。以下、本件特許出願の出願当初の特許請求の範囲に記載された発明を付記する。
【００４３】
付記１
複数の表示装置を上下左右に隙間なく配設したマルチディスプレイ表示装置であって、
前記表示装置は、アスペクト比がＰ対Ｑの表示エリアと、額縁の水直方向の幅がＱＴの上下の額縁部と、額縁の垂平方向の幅がＰＴの左右の額縁部とを有する
ことを特徴とする表示装置。（但し、Ｔは、額縁幅を定義するための単位規準長）
【００４４】
付記２
前記上下の額縁部、又は左右の額縁部にはスピーカが配設されていることを特徴とする付記１に記載の表示装置。
【００４５】
付記３
前記アスペクト比は、１６対９であることを特徴とする付記１、又は２に記載の表示装置。
【００４６】
付記４
前記表示エリアに表示する画像データを記憶する記憶部を有し、該記憶部には対応する装置が担当する画像データが記憶されていることを特徴とする付記１、２、又は３に記載の表示装置。
【００４７】
付記５
前記表示エリアのアスペクト比に対応して、該表示エリアに形成される画素サイズを設定することを特徴とする付記１、２、３、又は４に記載の表示装置。
【００４８】
付記６
前記水平側額縁幅と垂直側額縁幅は、前記表示エリアの画素サイズに対応して設定されることを特徴とする付記１、２、３、４、又は５に記載の表示装置。
【符号の説明】
【００４９】
１・・・表示装置
２・・・ＣＰＵ
３・・・ＤＴＶ信号受信部
４・・・メモリカードインターフェース
５・・・ＨＤＭＩインターフェース
６・・・ＵＳＢデバイスインターフェース
７・・・ＬＡＮインターフェース
８・・・時計回路
９・・・電源スイッチ
１０・・画像メモリ
１１・・表示駆動回路
１２・・音声駆動回路
１３・・フラッシュメモリ
１４・・ＲＡＭ
１５・・キー入力部
１６・・ＲＦ通信部
１７・・ＩＲ送受信部
２０・・アンテナ
２１・・表示部
２２・・デジタルアナログコンバータ
２３・・オーディオアンプ
２４・・スピーカ
２５・・アンテナ
２６・・ＬＥＤ
２８・・画像
３０・・表示エリア
３１、３１ａ〜３１ｄ・・額縁部
３３ａ、３３ｂ、３４ａ、３４ｂ、３５ａ、３５ｂ、３６ａ、３６ｂ、３７ａ、３７ｂ、３８ａ、３８ｂ、３９ａ、３９ｂ・・方向キー
【図１】
2013080008.tif 000003
【図２】
2013080008.tif 000004
【図３】
2013080008.tif 000005
【図４】
2013080008.tif 000006
【図５】
2013080008.tif 000007
【図６】
2013080008.tif 000008
【図７】
2013080008.tif 000009
【図８】
2013080008.tif 000010
【図１０】
2013080008.tif 000011
【図１１】
2013080008.tif 000012
【図１２】
2013080008.tif 000013
【図１３】
2013080008.tif 000014
【図９】
2013080008.tif 000015
【図１４】
2013080008.tif 000016
【図１５】
2013080008.tif 000017